(57)【特許請求の範囲】
【請求項１】
適宜位置に一端が固定されたゴムロープと、該ゴムロープの他端に締結されて、遊戯者を保持した状態で高所から落下せしめられ、その落下過程で前記ゴムロープにより支持されて上下動を繰り返す身体保持装置とを備えて構成される落下遊戯装置であって、
前記身体保持装置は、
遊戯者の身体を保持する身体保持手段と、
前記身体保持手段を支持する枠体と、
一端を相互に接合せしめた複数の吊下用部材を有し、該吊下用部材によって前記枠体を支持する支持手段と、
前記複数の吊下用部材の相互接合部に設けた漏斗状のロープ受部とを備えて構成され、
前記ゴムロープの他端が前記複数の吊下用部材の相互接合部に締結されて、前記身体保持装置の上下動の際に弛んだ該ゴムロープの弛み部分が、前記漏斗状のロープ受部内に収容されるように構成されてなることを特徴とする落下遊戯装置。
【請求項２】
前記枠体に張り渡した網状体及び／又はシート部材を備え、前記身体保持手段によって保持される遊戯者が該網状体及び／又はシート部材によって支えられるように構成されてなる請求項１記載の落下遊戯装置。
【請求項３】
前記複数の身体保持手段を備えてなる請求項１又は２記載の落下遊戯装置。
【請求項４】
適宜位置に一端が固定されたゴムロープと、該ゴムロープの他端に締結されて、遊戯者を保持した状態で高所から落下せしめられ、その落下過程で前記ゴムロープにより支持されて上下動を繰り返す身体保持装置とを備えて構成される落下遊戯装置であって、
前記身体保持装置は、
少なくとも三角形以上の多角形，円形又は楕円形に形成した上部枠体と、
同様に少なくとも三角形以上の多角形，円形又は楕円形に形成した下部枠体と、
前記上部枠体及び下部枠体に張り渡した網状体及び／又はシート部材と、
前記上部枠体と下部枠体とを接合せしめる接合部材と、
一端を相互に接合せしめた複数の吊下用部材を有し、該吊下用部材によって前記上部枠体及び／又は下部枠体を支持する支持手段と、
前記複数の吊下用部材の相互接合部に設けた漏斗状のロープ受部とを備えて構成され、
前記ゴムロープの他端は、前記複数の吊下用部材の相互接合部に締結されて、前記身体保持装置の上下動の際に弛んだ該ゴムロープの弛み部分が、前記漏斗状のロープ受部内に収容されるように構成されるとともに、
遊戯者が、前記上部枠体に張り渡された網状体及び／又はシート部材と、前記下部枠体に張り渡された網状体及び／又はシート部材との間に収容されるように構成されてなることを特徴とする落下遊戯装置。
【請求項５】
遊戯者の身体を保持する身体保持手段を前記上部枠体及び／又は下部枠体に接続せしめ、前記上部枠体に張り渡された網状体及び／又はシート部材と、前記下部枠体に張り渡された網状体及び／又はシート部材との間に収容された遊戯者を前記身体保持手段によって保持するようにしたことを特徴とする請求項４記載の落下遊戯装置。
【請求項６】
前記上部枠体及び／又は下部枠体を複数の区画に区分けしてなる請求項５記載の落下遊戯装置。
【請求項７】
前記枠体が、弾性を有する緩衝部材を介し前記吊下用部材によって支持されてなることを特徴とする請求項１乃至６記載のいずれかの落下遊戯装置。
【請求項８】
前記枠体及び／又は支持手段の下部に弾性体を設けてなる請求項１乃至７記載のいずれかの落下遊戯装置。
【発明の詳細な説明】
【０００１】
【産業上の利用分野】
本発明は、遊戯者を所定の高所から落下させる遊戯装置の分野に関する。
【０００２】
【従来の技術】
近年、バンジージャンプと呼ばれる遊戯が国内外において若者を中心に注目を集めている。この遊戯は、ゴム製のロープの一端を遊戯者の両足又は胴部に結び付ける一方、他端を所定位置に保持した状態で遊戯者に所定の高所から飛び降りさせるものである。落下する遊戯者は当該ロープの弾性力により衝撃なく受け止められる。即ち、落下する遊戯者の運動エネルギはロープが伸長することによって内部エネルギとして吸収され、全ての運動エネルギがロープの内部エネルギに置き換わった時点で遊戯者の落下及びロープの伸長が止まり（下死点）、ついで、ロープの収縮に伴って遊戯者は上方に引き上げられるとともにロープが弛み、以後、遊戯者は減衰的に上下動を繰り返して釣り合い位置で停止する。遊戯者は落下すること自体、並びにロープの弾性力で上下動することにより極めてスリリングな感触を味わうことができる。
【０００３】
【発明が解決しようとする課題】
ところが、上述した遊戯には以下に述べるような欠点があった。
【０００４】
即ち、上述の通り、ロープが伸長して遊戯者が下死点に至った後、当該ロープが収縮して遊戯者が上方に引き上げられるが、この際、ロープが乱れた状態で弛むので、この弛み部分が遊戯者に絡むと、再度遊戯者が下方に落下する際に、例えば遊戯者の首部に絡みついた場合には当該首が絞められ、胴部に巻きついた場合には当該胴部が締めつけられて内蔵が圧迫を受けるという極めて危険な状態となるのである。特に、ロープの一端が遊戯者に締結されており、ロープと遊戯者とが接近した状態で設けられているので、ロープが遊戯者に絡む可能性はかなり高いものである。
【０００５】
また、従来の落下遊戯はロープを直接遊戯者に締結して行うものであるので、複数の遊戯者が同時に落下遊戯を楽しむことができず、極めて効率の悪いものであった。
【０００６】
本発明は、以上の実情に鑑みなされたものであって、落下遊戯における遊戯者の安全を確保することができ、加えて、一度に複数の遊戯者が同時に落下遊戯を楽しむことのできる装置の提供を目的とする。
【０００７】
【課題を解決するための手段】
上記目的を達成するために、本発明の請求項１に係る発明は、適宜位置に一端が固定されたゴムロープと、該ゴムロープの他端に締結されて、遊戯者を保持した状態で高所から落下せしめられ、その落下過程で前記ゴムロープにより支持されて上下動を繰り返す身体保持装置とを備えて構成される落下遊戯装置であって、
前記身体保持装置は、遊戯者の身体を保持する身体保持手段と、前記身体保持手段を支持する枠体と、一端を相互に接合せしめた複数の吊下用部材を有し、該吊下用部材によって前記枠体を支持する支持手段と、前記複数の吊下用部材の相互接合部に設けた漏斗状のロープ受部とを備えて構成され、前記ゴムロープの他端が前記複数の吊下用部材の相互接合部に締結されて、前記身体保持装置の上下動の際に弛んだ該ゴムロープの弛み部分が、前記漏斗状のロープ受部内に収容されるように構成したことをその要旨とし、請求項２に係る発明は、前記枠体に張り渡した網状体及び／又はシート部材を備え、前記身体保持手段によって保持される遊戯者が該網状体及び／又はシート部材によって支えられるように構成したことを要旨とし、請求項３に係る発明は、複数の前記身体保持手段を設けたことを要旨とする。
【０００８】
また、請求項４に係る発明は、適宜位置に一端が固定されたゴムロープと、該ゴムロープの他端に締結されて、遊戯者を保持した状態で高所から落下せしめられ、その落下過程で前記ゴムロープにより支持されて上下動を繰り返す身体保持装置とを備えて構成される落下遊戯装置であって、前記身体保持装置は、少なくとも三角形以上の多角形，円形又は楕円形に形成した上部枠体と、同様に少なくとも三角形以上の多角形，円形又は楕円形に形成した下部枠体と、前記上部枠体及び下部枠体に張り渡した網状体及び／又はシート部材と、前記上部枠体と下部枠体とを接合せしめる接合部材と、一端を相互に接合せしめた複数の吊下用部材を有し、該吊下用部材によって前記上部枠体及び／又は下部枠体を支持する支持手段と、前記複数の吊下用部材の相互接合部に設けた漏斗状のロープ受部とを備えて構成され、前記ゴムロープの他端は、前記複数の吊下用部材の相互接合部に締結されて、前記身体保持装置の上下動の際に弛んだ該ゴムロープの弛み部分が、前記漏斗状のロープ受部内に収容されるように構成されるとともに、遊戯者が、前記上部枠体に張り渡された網状体及び／又はシート部材と、前記下部枠体に張り渡された網状体及び／又はシート部材との間に収容されるように構成されてなることを要旨とする。
【０００９】
また、請求項５に係る発明は、遊戯者の身体を保持する身体保持手段を前記上部枠体及び／又は下部枠体に接続せしめ、前記上部枠体に張り渡された網状体及び／又はシート部材と、前記下部枠体に張り渡された網状体及び／又はシート部材との間に収容された遊戯者を前記身体保持手段によって保持するようにしたことを要旨とし、請求項６に係る発明は、前記上部枠体及び／又は下部枠体を複数の区画に区分けしたことを要旨とする。また、請求項７に係る発明は前記枠体が弾性を有する緩衝部材を介し前記吊下用部材によって支持されてなることを要旨とし、請求項８に係る発明は前記枠体及び／又は支持手段の下部に弾性体を設けたことを要旨とする。
【００１０】
尚、前記身体保持手段は遊戯者の腰部，肩部，脚部等に締結される布製，ゴム製，皮製等のベルトの他、遊戯者の全身を包む袋状の部材等を適用できる。
【００１１】
また、前記網状体には、ゴム製の若しくは天然繊維，合成繊維，ガラス繊維，金属繊維等の繊維で編まれたロープ又はベルトで形成された網状体を適用することができる。
【００１２】
また、前記シート部材には、透明，不透明を問わず、ナイロン，ビニール製のシート材、若しくはこれが天然繊維，合成繊維，ガラス繊維，金属繊維等で補強されたものの他、天然繊維，合成繊維，ガラス繊維，金属繊維等の布帛を適用できるが、透明（半透明を含む）のもので，材質は遊戯者が怪我をしない程度の柔軟性を有するものであることがより好ましく、適宜空気通し用の穴を設けて、受ける空気抵抗を減少させることが好ましい。
【００１３】
【作用及び効果】
請求項１の発明によれば、まず、遊戯者の身体を前記身体保持手段により保持する。ついで、一端が適宜位置に固定されたゴムロープの他端を前記吊下用部材の頂部（相互接合部）に係合せしめ、この状態でクレーンなどで当該身体保持装置を適宜高所に吊り上げた後、この装置を落下せしめる。
【００１４】
落下過程で、当該身体保持装置はゴムロープに支えられ、当該ゴムロープが伸長することでその運動エネルギが吸収され、所定位置で落下運動を停止する（下死点）。ついで、ゴムロープの収縮によって当該装置は上方に引き上げられるが、この際、遊戯者は枠体及び吊下用部材にガードされており、また、ゴムロープを直接遊戯者に締結していないので、弛んだゴムロープが遊戯者に絡みつくことはない。また、弛んだゴムロープは、ロープ受部に収容されるので、身体保持装置の枠体及び部材等にゴムロープが絡みつくという不具合を防止することができ、より安全な遊戯を実現することができる。また、落下過程でこのロープ受部が空気抵抗を受けるので、前記枠体を所定の姿勢に維持せしめるという作用を奏する。
【００１５】
以後、当該装置は減衰的に上下動を繰り返し、釣り合い位置で最終的に停止する。この上下動の際に、遊戯者は所定の慣性力を受けるが、当該遊戯者は前記身体保持手段により保持されているため、安全である。また、請求項２の発明によれば、網状体及び／又はシート部材を設けているので、これによっても遊戯者は支えられ、遊戯者にとって更に安全である。更に、請求項３の発明によれば、複数の身体保持手段を設けているので、複数の遊戯者を収容でき、同時に当該複数の遊戯者に落下遊戯を行わせることができるので、効率的である。
【００１６】
請求項４の発明に係る落下遊戯装置よれば、上部枠体と下部枠体とにそれぞれ設けた網状体及び／又はシート部材間に遊戯者を収容する。前述した上下動の際に、当該網状体及び／又はシート部材はその弾性力で遊戯者を安全に支える。更に、請求項５の発明によれば、遊戯者を身体保持手段により保持しているので、しっかりと遊戯者を支えることができ更に安全である。また、請求項６の発明によれば、前記上部枠体及び／又は下部枠体を複数の区画に区分けしたので、各区画に遊戯者を収容でき、同時に複数の遊戯者に落下遊戯を行わせることができる。
【００１７】
また、請求項７の発明によれば、前記ゴムロープの抗力によって身体保持装置が減速され、遊戯者が下方に向けた慣性力を受ける際、緩衝部材の弾性力によってその衝撃が緩和される。更に、請求項８の発明によれば、ゴムロープが切断したり、或いは、設計上の問題から当該装置が地上に達することとなった場合に、弾性体により地上に落下した際の衝撃を吸収し、遊戯者に与える衝撃を極力少ないものとすることができる。
【００１８】
尚、前記網状体又は透明若しくは半透明のシート部材により遊戯者を支えれば、遊戯者の視覚が遮られないので、視覚的な落下の恐怖感が滅殺されることはない。
【００１９】
【実施例】
以下、本発明の実施例について添付図面に基づき説明する。図１乃至３は本発明の一具体的な実施例に係る落下遊戯装置を示す斜視図である。
【００２０】
（実施例１）
図１に示すように、実施例１の装置は、身体保持手段（１）と、この身体保持手段（１）を支持する枠体部（２）と、この枠体部（２）を支持する支持手段（３）とからなる身体保持装置（以下、単に「保持装置」という）と、一端が適宜位置に固定され、他端が前記保持装置に締結されるゴムロープ（１３）とから構成される。以下、各部の詳細について説明する。
【００２１】
Ａ．身体保持手段
同図に示すように、前記身体保持手段（１）は遊戯者の胴部に締結される胴部締結部（１ａ）と、肩部に締結される肩部締結部（１ｂ）とからなるものであり、本例では皮製のベルトで構成している。
【００２２】
Ｂ．枠体部
前記枠体部（２）は、軽量パイプを用いて三角形に形成した単位の枠体（２ａ）６個を連設，相互に固設して全体として六角形に形成したものであって、各単位の枠体（２ａ）の下部にネット（１０）を張り渡している。そして、前記身体保持手段（１）をゴムロープ（１ｃ）により前記単位の枠体（２ａ）に締結している。
【００２３】
Ｃ．支持手段
図１に示すように、前記支持手段（３）は側部吊下用部材（４）と、中心部吊下用部材（５）と、支持パイプ（６）と、側部接合部材（７）と、中心部接合部材（８）と、緩衝部材（９）とからなる。
【００２４】
前記側部接合部材（７）は前記枠体部（２）の頂角部の外側に設けた円筒部材よりなるものであり、これら側部接合部材（７）を支持パイプ（６）により連結している。また、前記中心部接合部材（８）は前記枠体部（２）の中心部に設けた、同じく円筒部材よりなるものである。そして、前記各単位の枠体（２ａ）の頂部を、緩衝部材（９）を介して前記側部接合部材（７）又は中心部接合部材（８）に接続している。これにより、単位の枠体（２ａ）は多少の上下動が可能であるとともに、衝撃に対し緩衝された状態で支持される。尚、緩衝部材（９）には、コイルバネ，ゴム体等を適用できる。
【００２５】
前記側部吊下用部材（４）は６本のパイプ部材よりなるもので、その一端をそれぞれ前記側部接合部材（７）に接続し、他端を相互に接続せしめている。また、前記中心部吊下用部材（５）は同じくパイプ部材よりなるもので、その一端を前記中心部接合部材（８）に接続し、他端を前記側部吊下用部材（４）の相互接続部に接続している。以上の構成により、支持手段（３）は力学的に堅固な構造となっている。尚、支持手段（３）の各部は極力軽量化を図るのが好ましい。
【００２６】
また、側部吊下用部材（４）の相互接合部端部に吊環（図示せず）及び漏斗状のロープ受部（１２）を設けるとともに、同相互接合部にシート部材（１１）を張り渡している。そして、この吊環（図示せず）に落下支持用のゴムロープ（１３）を締結し、吊上用ワイヤロープ（１５）を掛けている。尚、前記ロープ受部（１２）を構成する素材は網，籠，シート状のもの，板材等を適用でき、その形状は弛んだ前記ロープ（１３）を収納できれば良く、図示するものには限られない。また、前記シート部材（１１）には透明，不透明を問わず、ナイロン，ビニール製のシート材、若しくはこれが天然繊維，合成繊維，ガラス繊維，金属繊維等で補強されたものの他、天然繊維，合成繊維，ガラス繊維，金属繊維等の布帛を適用できる。
【００２７】
また、前記側部接合部材（７）及び中心部接合部材（８）の下部に弾性体（１４）を設けている。図４に示すように、この弾性体（１４）はバネ体（１４ｂ）と、ゴムチューブ（１４ａ）とからなる。
【００２８】
次に、以上の構成を備えた実施例１の装置の作用について説明する。
まず、遊戯者を前記単位の枠体（２ａ）上に搭乗せしめ、前記身体保持手段（１）を装着せしめる。このとき、遊戯者は前記ネット（１０）上に、仰向け又は俯せの状態で横たわる。尚、本例では６人の遊戯者が同時に搭乗できる。
【００２９】
ついで、当該保持装置を適宜巻上装置を用い、前記吊上用ワイヤロープ（１５）を介して所定の高さまで吊り上げ、適宜解除機構を用いて保持装置を切離し、これを落下させる。
【００３０】
保持装置が所定の高さまで落下すると、当該保持装置は前記ゴムロープ（１３）の抗力を受けて落下速度が徐々に減速されるが、この際、下方に向けての慣性力を受ける遊戯者は前記身体保持手段（１），ネット（１０）及び前記緩衝部材（９）の弾性力により衝撃を受けることなく支えられる。
【００３１】
また、落下過程で前記シート部材（１１）は空気抵抗を受けるので、力学的力の釣り合いから、保持装置はその枠体部（２）が水平となる姿勢を保って落下する。また、前記ロープ受部（１２）も同様に空気抵抗を受けるので、同様の作用を奏する。尚、前記ネット（１０）は遊戯者が俯せ状態である場合にもその視覚を遮らないので、落下に対し遊戯者が受ける視覚的な恐怖感は損なわれない。
【００３２】
落下速度が零になる位置（下死点）に達すると、前記保持装置は前記ゴムロープ（１３）の引張力を受けて上方に移動する。保持装置は前記ゴムロープ（１３）が収縮しきった後も慣性により、重力に抗して上方に移動するが、その際に弛んだゴムロープ（１３）は前記ロープ受部（１２）内に収納され、弛んだロープ受部（１２）が遊戯者又は保持装置の他の部分に絡みつくことはない。
【００３３】
以後、保持装置は減衰的に上下動を繰り返すが、遊戯者は前記身体保持手段（１），ネット（１０）及び前記緩衝部材（９）の弾性力により衝撃を受けることなく支えられる。
【００３４】
また、前記ゴムロープ（１３）が何らかの原因で切断し、保持装置が当該ゴムロープ（１３）に支えられることなく落下した場合、保持装置が地面に到達した際の衝撃を前記弾性体（１４）が緩衝，吸収し、前記身体保持手段（１），ネット（１０）及び前記緩衝部材（９）の弾性力と併せて遊戯者に伝わる衝撃を緩和する。尚、上述の如く、当該保持装置はその枠体部（２）が水平となる姿勢を保って落下し、各弾性体（１４）が略同時に地面に接するので、保持装置は踊って転倒したりすることなく、安定姿勢で着地することができる。また、弾性体（１４）はゴムチューブ（１４ａ）とバネ体（１４ｂ）とで構成され、反発力を極力押さえるとともに、緩衝，吸収力が高められた構造となっている。
【００３５】
以上のように、本例の遊戯装置によれば、同時に複数人の遊戯者が落下遊戯を楽しむことができ、しかも遊戯者の安全が十分に確保されている。
【００３６】
尚、本例では、三角形の単位の枠体（２ａ）を６個設け全体として６角形に構成したが、個数についての制限は無く、当該単位の枠体（２ａ）１個でも良い。また、その形状も三角形に限らず、それ以上の多角形，円形，楕円形でも良い。その一例として、四角形に形成した場合の例を図２に示す。この例は、枠体（２０）を四角形に形成するとともに、当該枠体（２０）を４つの区画に区分けしたものである。
【００３７】
また、前記ネット（１０）をシート部材で構成しても良い。このシート部材には、前記シート部材（１１）と同様に、ナイロン，ビニール製のシート材、若しくはこれが天然繊維，合成繊維，ガラス繊維，金属繊維等で補強されたものの他、天然繊維，合成繊維，ガラス繊維，金属繊維等の布帛を適用できるが、遊戯者の視覚を遮らないように透明（半透明を含む）のもので，材質は遊戯者が怪我をしない程度の柔軟性を有するものであることがより好ましい。
【００３８】
また、前記枠体部（２）を上下に並設した上部枠体と下部枠体とで構成し、これら上部枠体及び下部枠体にネット又はシート部材を張り渡すとともに、これらを離接自在に係合せしめて、上部枠体及び下部枠体間に遊戯者を収容するように構成しても良い。更に、これに前記身体保持手段（１）を設けても良く、図２に示すように、複数の区画に区分けしても良い。
【００３９】
（実施例２）
上記実施例１の装置は遊戯者を俯せ状態で搭乗せしめる構成としたが、遊戯者を起立状態で搭乗させる構成とすることもでき、この例を図３に基づき以下に説明する。尚、実施例２の装置は同図に示すように、実施例１の保持装置と一部構成が異なるものであり、同じ構成の部分は同じ符号を付してその詳しい説明を省略する。
【００４０】
図３に示すように、この保持装置は枠体部（３０）を、パイプ部材で方形に形成した単位の枠体（３１）６個を放射状に立設して構成したものであり、この単位の枠体（３１）それぞれを側部接合部材（７）及び中心部接合部材（８）に、緩衝部材（９）を介して接続している。そして、身体保持手段（１）をゴムロープ（１ｃ）により単位の枠体（３１）に吊下，接続している。
【００４１】
また、側部接合部材（７）に、これを囲む外郭枠体（３２）を固設するとともに、当該外郭枠体（３２）の側部及び下部にネット（３３）を張り渡している。尚、特に図示しないが、側部のネット（３３）には遊戯者が出入りする出入口を設けている。
【００４２】
この保持装置によれば、遊戯者は身体保持手段（１）を装着し、前記単位の枠体（３１）の下辺上に起立した状態で搭乗できる。また、遊戯者が誤って下方に落ちた場合でも、前記ネット（３３）に受け止められるので安全である。
【００４３】
以上、本発明の具体的実施例について説明したが、実施例１及び２の装置はあくまでも一例として例示したものであって、本発明の具体的態様がこれに限られるものではないことは言うまでもない。
【図面の簡単な説明】
【図１】        本発明の一実施例である実施例１の装置を示す斜視図である。
【図２】        実施例装置の変形例を示す斜視図である。
【図３】        実施例２の装置を示す示す斜視図である。
【図４】        弾性体を一部断面で示す斜視図である。
【符号の説明】
１  身体保持手段
２  枠体部
３  支持手段
４  側部吊下用部材
５  中心部吊下用部材
６  支持パイプ
７  側部接合部材
８  中心部接合部材
９  緩衝部材
１０  ネット
１１  シート部材
１２  ロープ受部
１３  ゴムロープ
１４  弾性体
１５  吊上用ワイヤロープ
２０  枠体部
３０  枠体部
３１  単位の枠体
３２  外郭枠体
３３  ネット
【図１】
0003664264.tif 000002
【図２】
0003664264.tif 000003
【図３】
0003664264.tif 000004
【図４】
0003664264.tif 000005